(57)【特許請求の範囲】
【請求項１】
撮影条件に関する複数の設定項目を有する撮像装置であって、
前記複数の設定項目の設定情報をそれぞれ設定する設定手段と、
複数の登録先を有する記憶手段と、
使用者の指示操作に応じて、前記設定手段で設定された前記複数の設定項目を登録対象項目と非登録対象項目のいずれかに指定する指定手段と、
前記登録対象項目について前記設定手段で設定された前記設定情報を登録撮影条件として、表示された前記複数の登録先のうちの前記使用者により選択された前記登録先に登録させる登録制御手段と、
前記使用者による呼出操作に応じて表示された前記複数の登録先の中から選択された前記登録先に前記登録撮影条件として登録されている前記登録対象項目の前記設定情報を呼び出して、新たな撮影条件において前記登録対象項目に対応する設定項目の設定情報として採用することで、当該登録撮影条件を反映した前記新たな撮影条件を生成する生成手段と
を備えることを特徴とする撮像装置。
【請求項２】
請求項１に記載の撮像装置において、
前記記憶手段は、前記登録撮影条件を保持する不揮発性メモリを有している
ことを特徴とする撮像装置。
【発明の詳細な説明】
【技術分野】
【０００１】
本発明は、撮像装置における撮影条件の設定技術に関する。
【背景技術】
【０００２】
デジタルカメラ等の撮像装置では、撮影動作を実行する際に、撮影状況（撮影シーン）および被写体等に応じて各種の撮影条件が設定される。
【０００３】
撮影条件の設定は、ユーザ（以下、「使用者」または「撮影者」とも称する）または撮像装置によって行われ、ユーザは、その設定手法を、撮像装置に設けられた複数の撮影モードの中から１の撮影モードを選択することによって決定することができる。
【０００４】
具体的には、撮影モードとして、撮影条件の設定を撮像装置が自動的に行う自動撮影モードが選択された場合は、撮影条件は、撮像装置によって自動的に設定される。
【０００５】
また、撮影モードとして、撮影シーンに応じた最適な撮影条件を設定可能なシーン撮影モードが選択された場合は、選択された撮影シーンに応じた撮影条件が撮像装置に自動的に設定されるとともに、設定された撮影条件を変更したい場合は、ユーザは、手動操作によって撮影条件を任意に変更することができる（例えば、特許文献１）。
【０００６】
【特許文献１】特開２００７−１３４７６号公報
【発明の開示】
【発明が解決しようとする課題】
【０００７】
ところで、撮影モードとして、予め登録された撮影条件を呼び出して、撮影条件を設定する登録呼出撮影モードを有する撮像装置においては、登録呼出撮影モードが選択されると、予め登録された独自の撮影条件が、瞬時に呼び出されて撮像装置に設定されるので、ユーザの操作性が向上する。
【０００８】
しかしながら、登録呼出撮影モードでは、ユーザの広範な要望に応えるため、撮影条件の設定項目のうちほぼ全ての設定項目が、登録対象として設定されている。このため、ユーザによっては登録対象としたくない設定項目についても登録されてしまうという不都合が生じていた。
【０００９】
そこで、本発明は、登録対象としたくない設定項目についても登録されるという不都合を解消することが可能な撮像装置を提供することを目的とする。
【課題を解決するための手段】
【００１０】
本発明は、上記課題を解決すべくなされたものであり、その側面は、撮影条件に関する複数の設定項目を有する撮像装置であって、前記複数の設定項目の設定情報をそれぞれ設定する設定手段と、複数の登録先を有する記憶手段と、使用者の指示操作に応じて、前記設定手段で設定された前記複数の設定項目を登録対象項目と非登録対象項目のいずれかに指定する指定手段と、前記登録対象項目について前記設定手段で設定された前記設定情報を登録撮影条件として、表示された前記複数の登録先のうちの前記使用者により選択された前記登録先に登録させる登録制御手段と、前記使用者による呼出操作に応じて表示された前記複数の登録先の中から選択された前記登録先に前記登録撮影条件として登録されている前記登録対象項目の前記設定情報を呼び出して、新たな撮影条件において前記登録対象項目に対応する設定項目の設定情報として採用することで、当該登録撮影条件を反映した前記新たな撮影条件を生成する生成手段とを備えることを特徴とする。
【発明の効果】
【００１１】
本発明によれば、複数の設定項目のうち登録対象とする登録対象項目が指定され、登録対象項目について設定されている設定情報が登録撮影条件として記憶手段に登録されるので、登録対象としたくない設定項目についても登録されるという不都合を解消することが可能になる。
【発明を実施するための最良の形態】
【００１２】
以下、本発明の実施形態について図面を参照して説明する。
【００１３】
＜実施形態＞
＜構成＞
図１、図２および図３は、本発明の実施形態に係る撮像装置１の外観構成を示す図である。ここで、図１は、撮像装置１の正面外観図であり、図２は、撮像装置１の上面外観図であり、図３は、撮像装置１の背面外観図である。図４は、モードダイアル５を示す図である。
【００１４】
撮像装置１は、例えばデジタルカメラとして構成されており、その前面（図１参照）において撮影レンズ３を有している。
【００１５】
撮影レンズ３は、主として、レンズ群及び絞り等によって構成される。レンズ群には、光軸方向に移動することによって焦点位置を変更するフォーカスレンズ等が含まれている。
【００１６】
また、撮像装置１は、その上面（図２参照）において露光開始を指示するためのレリーズボタン１１とフラッシュ４とモードダイアル５とを備えている。
【００１７】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、位相差による自動合焦（ＡＦ）制御動作および自動露出（ＡＥ）制御動作等）が行われる。また、レリーズボタン１１がさらに押し込まれてＳ２状態になると、当該本撮影画像の撮影動作（撮像素子（後述）を用いて被写体像に関する露光動作を行い、その露光動作によって得られた画像信号に所定の画像処理を施す一連の動作）が行われる。
【００１８】
モードダイアル５は、回転可能な円盤状の部材によって構成され、ユーザは、モードダイアル５を回転させることによって、所望の撮影モードを選択して有効化することができる。
【００１９】
具体的には、図４に示されるように、モードダイアル５には、複数の撮影モード５０〜６０に関する表示が施されており、ユーザは、所望の撮影モードに関する表示を所定位置ＴＰに合わせることによって、撮像装置１を所望の撮影モードで動作させることができる。このような撮影モードの指定によって、ユーザは、撮影条件の基本的な設定方法を撮像装置１に指示することができる。
【００２０】
撮像装置１は、撮影モードとして、撮影条件の主な設定を撮像装置１が自動的に行う自動（オート）撮影モード５０と、露出に関する撮影条件（シャッタースピードおよび絞り値）を指定する露出撮影モード群ＧＰ１（実線で囲まれるグループ）と、予め登録された撮影条件を呼び出して、撮影条件を設定する登録呼出撮影モード（「呼出モード」とも称する）５５と、撮影状況（撮影シーン）に応じて撮影条件を設定することが可能なシーン撮影モード群ＧＰ２（一点鎖線で囲まれるグループ）とを有している。
【００２１】
露出撮影モード群ＧＰ１には、被写体の明るさに応じてシャッタースピードおよび絞り値の双方を撮像装置１が決定するプログラムモード（Ｐモード）５１、ユーザが決定した絞り値を優先して（絞り優先で）撮像装置１がシャッタースピードを決定する絞り優先モード（Ａモード）５２、ユーザが決定したシャッタースピードを優先して（シャッタースピード優先で）撮像装置１が絞り値を決定するシャッタースピード優先モード（Ｓモード）５３、およびユーザがシャッタースピードおよび絞り値の双方を手動で決定するマニュアルモード（Ｍモード）５４が含まれる。
【００２２】
また、シーン撮影モード群ＧＰ２には、人物撮影に用いられるポートレートモード６１、風景撮影用の風景モード６０、近くの被写体を撮影する際に用いられるマクロモード５９、動的な被写体を撮影する際に用いられるスポーツモード５８、夕焼けを撮影する際に用いられる夕景モード５７、および夜景を撮影する際に用いられる夜景モード５６が含まれる。
【００２３】
撮像装置１の構成説明に戻って、撮像装置１は、その背面（図３参照）において、モニタ１２とファインダ窓１０とメインスイッチ（電源スイッチ）１５とメニューボタン１６と方向選択キー１７とを備えている。
【００２４】
より詳細には、撮像装置１の背面の略中央には、モニタ（「表示部」とも称する）１２が設けられている。モニタ１２は、例えばカラー液晶ディスプレイ（ＬＣＤ）として構成される。モニタ１２には、撮影条件等を設定するためのメニュー画面を表示したり、メモリカード等の記録デバイス１０４（図５参照）に記録された撮影画像を再生表示したりすることができる。
【００２５】
モニタ１２の上部には、ファインダ窓１０が設けられている。ファインダ窓１０には、被写体像が導かれ、撮影者は、ファインダ窓１０を覗くことによって、被写体像を視認し、構図決めを行うことが可能である。
【００２６】
モニタ１２の左上部にはメインスイッチ１５が設けられている。メインスイッチ１５は２点スライドスイッチからなり、接点を左方の「ＯＦＦ」位置に設定すると、撮像装置１の電源がオフになり、接点を右方の「ＯＮ」位置に設定すると、撮像装置１の電源がオンになる。
【００２７】
モニタ１２の右側には方向選択キー（カーソルキー）１７が設けられている。この方向選択キー１７は、上下左右の４方向の押圧操作が検出されるようになっている。なお、方向選択キー１７は、上記４方向の押圧操作とは別に、中央部のプッシュボタン（決定ボタン）１７ａの押圧操作も検出されるようになっている。
【００２８】
モニタ１２の左側には、メニューボタン１６が設けられている。メニューボタン１６が押下されるとモニタ１２には、メニュー画面（設定画面）が表示される。ユーザは、メニュー画面上において方向選択キー１７等を用いた選択または設定操作（単に「メニュー操作」とも称する）を行うことによって、撮像装置１の詳細動作（例えば、ＡＦモード）の設定、および撮影条件の登録等を行うことができる。
【００２９】
＜機能＞
次に、撮像装置１の機能の概要について説明する。図５は、撮像装置１の機能構成を示すブロック図である。図６は、撮影条件の項目を示す図である。図７は、登録項目選択画面ＧＮ１の一例を示す図である。図８は、メニュー画面ＧＮ２の一例を示す図である。図９は、登録設定画面ＧＮ３の一例を示す図である。
【００３０】
図５に示すように、撮像装置１は、撮像部１０１、画像データ取得処理部１０２、画像メモリ１０３、着脱可能な記録デバイス１０４、全体制御部１１０、および操作部１０５等を備えている。
【００３１】
操作部１０５は、レリーズボタン１１、モードダイアル５（図１参照）およびメニューボタン１６を含む各種ボタンおよびスイッチ等を備えて構成される。操作部１０５に対するユーザの入力操作に応答して、全体制御部１１０等が各種動作を実現する。例えば、レリーズボタン１１の全押し状態が検出されると、本撮影画像の撮影動作が実行される。
【００３２】
撮像部１０１は、撮像素子（ＣＣＤまたはＣＭＯＳ）等の光学センサを備えて構成される。撮像素子は、受光面に結像された被写体像の露光（光電変換による電荷蓄積）を行い、当該被写体像に関する画像信号を生成する。具体的には、撮像素子は、フォトダイオードを有して構成される複数の画素がマトリクス状に２次元配置され、各画素の受光面にＲ(赤)、Ｇ(緑)、Ｂ(青)の原色透過フィルターが市松状に配設されてなるベイヤー配列のカラーセンサ（例えば、ＣＣＤ）として構成される。そして、撮像素子は、結像された被写体の光像をＲ（赤）、Ｇ（緑）、Ｂ（青）各色成分のアナログの電気信号に変換し、画像信号を生成する。
【００３３】
画像データ取得処理部１０２は、操作部１０５を用いたユーザの指示操作に応じて（詳細には、レリーズボタン１１の押下操作を検知して全体制御部１１０から出力される撮影指示信号に応じて）、撮像部１０１から画像信号を取得し、所定の画像処理を施して撮影画像に関する画像データを取得する機能を有している。
【００３４】
画像メモリ１０３は、不揮発性メモリによって構成され、複数フレーム分の画像データを記憶可能な容量を有し、画像データ取得処理部１０２で取得され所定の処理が施された画像データを一時的に記憶する機能を有している。
【００３５】
全体制御部１１０は、マイクロコンピュータとして構成され、主にＣＰＵ、ＲＡＭ１１０ＡおよびＲＯＭ１１０Ｂ等を備える。なお、本実施形態では、ＲＯＭ１１０Ｂとして、書き込みおよび消去可能な不揮発性メモリ（例えば、Erasable Programmable ROM:ＥＰＲＯＭ）を採用する場合について例示する。
【００３６】
全体制御部１１０は、ＲＯＭ１１０Ｂ内に格納されるプログラムを読み出し、当該プログラムをＣＰＵで実行することによって、各種機能を実現する。図５における、表示制御部１１１、撮影条件設定制御部１１２、撮影条件記録制御部１１３、登録項目設定制御部１１４、撮影条件登録制御部１１５および撮影条件生成部１１６は、全体制御部１１０においてプログラムを実行することによって実現される機能を機能ブロックとして表したものである。
【００３７】
表示制御部１１１は、表示部１２に対して撮影画像またはメニュー画面などの表示指示を行う。
【００３８】
具体的には、表示制御部１１１は、操作部１０５から入力されるユーザの指示操作に応じて、モニタ１２に表示する画像の画像データを画像メモリ１０３または記録デバイス１０４から、ＲＡＭ１１０Ａへと転送するとともに、必要な処理を行って表示部１２に表示させる。詳細には、画像メモリ１０３に保存された画像データは、撮影直後に静止画像として表示部１２に再生表示されるか、或いは撮像装置１がライブビュー機能を有する場合は、ライブビュー画像として表示部１２に動画的態様にて表示される。一方、記録デバイス１０４に保存された画像データは、静止画像として表示部１２に再生表示される。また、表示制御部１１１は、メニューボタン１６等の操作に応じて所定のメニュー画面を表示部１２に表示させる。
【００３９】
撮影条件設定制御部１１２は、メニューボタン１６または方向選択キー１７等の操作部１０５を用いたユーザの撮影条件設定操作ＲＰ１に応じて、撮影条件を設定する。
【００４０】
撮像装置１において設定可能な撮影条件は、図６に示されるように、多数の項目（「設定項目」とも称する）に分かれている。具体的な設定項目としては、例えば、シャッタースピード、絞り値、ドライブモードおよびＩＳＯ感度等が存在する。ユーザは、操作部１０５を用いた指示操作によって各設定項目の設定値（「設定情報」とも称する）を変更することができる。そして、撮影条件設定制御部１１２は、設定情報の変更を撮像装置１に反映させる。なお、初期状態においては、各設定項目には、予め適当な設定情報が設定されている。例えば、ホワイトバランスの初期状態における設定情報としては、自動設定モード（オートホワイトバランス：ＡＷＢ）が設定されている。
【００４１】
撮影条件記録制御部１１３は、撮影モードが露出撮影モード群ＧＰ１内の各撮影モード５１〜５４に設定されている場合は、モードダイアル５のダイアル操作によって撮影モードが変更（遷移）された際に、モード変更直前の撮影条件（各設定項目の設定情報）を保持撮影条件（単に「保持条件」とも称する）として記憶部（ここでは、ＲＡＭ１１０Ａ）に記録する。例えば、撮影モードがＰモード５１に設定されていた状態で、他の撮影モードに変更された場合は、Ｐモード５１において設定されていた撮影条件がＲＡＭ１１０Ａに記録される。
【００４２】
また、撮影条件記録制御部１１３は、撮影モードが露出撮影モード群ＧＰ１内の各撮影モード５１〜５４に設定されている場合は、撮像装置１の電源オフ操作が検出されると、電源がオフされる前に、現在の撮影条件を保持撮影条件としてＲＯＭ１１０Ｂに記録する。
【００４３】
なお、ＲＡＭ１１０Ａに記録された保持撮影条件は、撮像装置１の電源がオフされた場合、または無操作が一定時間継続して撮像装置１が省電力状態（「パワーセーブ状態」、または単に「パワーセーブ」とも称する）に入った場合にも失われることなく保持される。具体的には、保持撮影条件は、撮像装置１の電源がオフされる際に、またはパワーセーブ状態に入る際に、ＲＯＭ１１０Ｂに記憶される。そして、撮像装置１の電源がオンされると、またはパワーセーブ状態が解除されると、保持撮影条件は、ＲＯＭ１１０ＢからＲＡＭ１１０Ａに読み出され、電源オフ前またはパワーセーブ前の保持撮影条件がＲＡＭ１１０Ａに記録される。このように、電源オフ時またはパワーセーブ時に、ＲＯＭ１１０Ｂを保持撮影条件を記憶する記憶部として機能させることによれば、撮像装置１は、電源がオフされた場合またはパワーセーブ状態になった場合にも、保持撮影条件を失うことなく保持することか可能となる。
【００４４】
登録項目設定制御部１１４は、操作部１０５を用いたユーザの登録項目選択操作ＲＰ２に応じて、各設定項目を登録対象項目（単に、「登録項目」とも称する）として設定するか否かを制御する。なお、登録項目設定制御部１１４は、ユーザの登録項目選択操作ＲＰ２に応じて、各設定項目のうち登録対象とする設定項目を指定する機能を有しているとも表現することができる。
【００４５】
具体的には、まず、登録項目選択操作ＲＰ２は、メニュー操作によって表示部１２に表示された登録項目選択画面上でユーザによって行われる。より詳細には、ユーザは、図７に示されるような登録項目選択画面ＧＮ１上で、方向選択キー１７を用いた指示操作によって登録対象とする設定項目を選択することができる。登録項目として選択された設定項目の選択欄ＳＲには、選択された旨の選択表示（ここでは、塗りつぶされた丸印）が付される。例えば、図７では、絞り値、ＩＳＯ感度およびホワイトバランスの各設定項目が登録項目として選択されている。そして、登録項目選択操作ＲＰ２によって選択された設定項目は、登録項目設定制御部１１４によって登録項目としてＲＡＭ１１０Ａに登録される。
【００４６】
このようにして設定された登録項目の設定情報は、撮影条件の登録操作ＲＰ３が行われると、ＲＡＭ１１０Ａに登録される（後述）。なお、登録項目選択操作ＲＰ２が実行される前の初期状態では、全ての設定項目が登録項目としてＲＡＭ１１０Ａに登録されている。
【００４７】
撮影条件登録制御部１１５は、ユーザの撮影条件登録操作ＲＰ３に応じて、登録項目の設定情報を登録撮影条件として記憶部（ＲＡＭ１１０Ａ）に登録する。
【００４８】
具体的には、ユーザは、撮像装置１を所望の撮影条件に設定した後、メニューボタン１６を押下して表示されるメニュー画面ＧＮ２（図８参照）上で、「登録」項目ＴＫを選択し、登録設定画面ＧＮ３（図９参照）を表示させる。そして、ユーザは、方向選択キー１７を用いて登録先表示ＴＨ１の中から撮影条件の登録先を選択し（図９では、「登録先１」が選択されている）、決定ボタン１７ａを押下する。なお、本実施形態に係る撮像装置１は、撮影条件の登録先として３の登録先を有しているが、登録先の数は３に限定されない。
【００４９】
このような撮影条件登録操作ＲＰ３が実行されると、撮影条件登録制御部１１５によって、現在設定されている登録項目の設定情報がＲＡＭ１１０Ａに登録される。例えば、図７に示されるように、「絞り値」、「ＩＳＯ感度」および「ホワイトバランス」の各設定項目が登録項目として選択され、当該各設定項目が登録項目として登録されている場合は、撮影条件登録制御部１１５によって「絞り値」、「ＩＳＯ感度」および「ホワイトバランス」の各設定情報が登録撮影条件としてＲＡＭ１１０Ａに登録される。また、例えば、全ての設定項目が登録項目として登録されている場合は、全ての設定項目の設定情報が登録撮影条件としてＲＡＭ１１０Ａに登録される。
【００５０】
なお、ＲＡＭ１１０Ａに登録された登録撮影条件は、撮像装置１の電源がオフされた場合、またはパワーセーブ状態に入った場合にも失われることなく保持される。具体的には、登録撮影条件は、撮像装置１の電源がオフされる際に、またはパワーセーブ状態に入る際に、ＲＯＭ１１０Ｂに記憶される。そして、撮像装置１の電源がオンされると、またはパワーセーブ状態が解除されると、登録撮影条件は、ＲＯＭ１１０ＢからＲＡＭ１１０Ａに読み出され、電源オフ前またはパワーセーブ前の登録撮影条件がＲＡＭ１１０Ａに記録される。このように、電源オフ時またはパワーセーブ時に、ＲＯＭ１１０Ｂを登録撮影条件を記憶する記憶部として機能させることによれば、撮像装置１は、電源がオフされた場合またはパワーセーブ状態になった場合にも、登録撮影条件を失うことなく保持することか可能となる。
【００５１】
撮影条件生成部１１６は、撮影モードの変更（「モード変更」または「モード遷移」とも称する）が行われた際に、変更後の撮影モードにおいて設定される撮影条件を生成する。詳細は、後述する。
【００５２】
＜撮影条件の生成＞
以下では、モード変更の際に実行される撮影条件の生成について詳述する。図１０は、登録呼出撮影モード５５に設定されたときの撮影条件の生成を示す概念図である。図１１は、登録撮影条件の呼出操作を行う画面の一例を示す図である。図１２は、露出撮影モード群ＧＰ１およびシーン撮影モード群ＧＰ２に設定されたときの撮影条件の生成を示す概念図である。
【００５３】
撮像装置１では、モード変更が行われると、撮影条件生成部１１６によって新たな撮影条件が生成され、当該新たな撮影条件が撮像装置１に設定される。
【００５４】
撮影条件の生成手法は、モード変更後に設定された撮影モードの種類に応じて異なる。以下では、登録呼出撮影モード５５に設定された場合、露出撮影モード群ＧＰ１内のいずれかの撮影モード５１〜５４に設定された場合、シーン撮影モード群ＧＰ２内のいずれかの撮影モード５６〜６０に設定された場合、および自動撮影モード５０に設定された場合それぞれについて場合を分けて説明する。
【００５５】
まず、撮影モードが登録呼出撮影モード５５に設定された場合の撮影条件の生成手法について説明する。なお、以下では、図１０に示されるように、登録項目選択操作ＲＰ２によって「設定項目Ｂ」、「設定項目Ｃ」、および「設定項目Ｄ」が登録項目として登録され（図１０内の表ＴＢ１参照）、その後に実行された撮影条件登録操作ＲＰ３によって、登録項目（設定項目Ｂ，Ｃ，Ｄ）それぞれの設定情報が登録撮影条件ＴＢ２としてＲＡＭ１１０Ａに登録されている状態ＳＴを例にして説明する。また、図１０に示される状態ＳＴでは、登録呼出撮影モード５５に設定される以前に設定されていた、露出撮影モード群ＧＰ１内のいずれかの撮影モード５１〜５４における撮影条件ＴＢ３を保持撮影条件として有している。
【００５６】
登録呼出撮影モード５５に設定された場合は、撮影条件の呼出操作ＲＰ４（後述）に応じて、撮影条件生成部１１６によって記憶部（ＲＡＭ１１０Ａ）に登録されていた撮影条件が呼び出され、当該撮影条件を反映した新たな撮影条件が生成される。
【００５７】
具体的には、登録撮影条件ＴＢ２がＲＡＭ１１０Ａに登録されている状態ＳＴ（図１０参照）で、ユーザによって撮影モードが登録呼出撮影モード５５に設定され、撮影条件の呼出操作ＲＰ４が行われると、登録撮影条件ＴＢ２として登録されている登録項目の設定情報がＲＡＭ１１０Ａから呼び出され、当該登録項目の設定情報が新たな撮影条件ＴＢ４において対応する設定項目の設定情報として採用される。より詳細には、登録撮影条件ＴＢ２の「設定情報Ｂ１」、「設定情報Ｃ１」、および「設定情報Ｄ１」がそれぞれＲＡＭ１１０Ａから呼び出され、当該各設定情報Ｂ１，Ｃ１，Ｄ１が新たな撮影条件ＴＢ４における設定項目Ｂ、設定項目Ｃ、および設定項目Ｄそれぞれの設定情報として設定される。
【００５８】
また、新たな撮影条件における設定項目のうち、登録項目として設定されていない設定項目（「非登録対象項目」または「非登録項目」とも称する）の設定情報は、登録呼出撮影モード５５に設定された際にＲＡＭ１１０Ａに記録されている保持撮影条件ＴＢ３に基づいて生成される。
【００５９】
具体的には、図１０では、非登録項目の設定項目Ａ、設定項目Ｅ、および設定項目Ｆの設定情報は、保持撮影条件ＴＢ３の設定項目Ａ、設定項目Ｅ、および設定項目Ｆの各設定情報を反映して決定される。より詳細には、保持撮影条件ＴＢ３の設定情報Ａ２，Ｅ２，Ｆ２が新たな撮影条件ＴＢ４における設定項目Ａ、設定項目Ｅ、および設定項目Ｆそれぞれの設定情報として設定される。
【００６０】
このように、撮影モードが登録呼出撮影モード５５に設定された場合は、撮影条件生成部１１６によってＲＡＭ１１０Ａに登録されていた登録撮影条件ＴＢ２が呼び出され、当該登録撮影条件ＴＢ２を反映した新たな撮影条件ＴＢ４が生成されるとともに、新たな撮影条件ＴＢ４のうち、不足する設定項目（非登録項目）の設定情報は、保持撮影条件ＴＢ３の対応する設定項目の設定情報に基づいて生成される。
【００６１】
なお、呼出操作ＲＰ４は、モードダイアル５のダイアル操作によって登録呼出撮影モード５５が有効化された際に表示される登録呼出画面上においてユーザによって実行される。具体的には、呼出操作ＲＰ４は、図１１に示されるような登録呼出画面ＧＮ４上において、方向選択キー１７を用いて登録元表示ＴＨ２の中から撮影条件の登録元を選択し（図１１では、「登録元１」が選択されている）、決定ボタン１７ａを押下することによって実行される。
【００６２】
上述のように、撮像装置１では、撮影条件の設定項目のうち、所望の設定項目を選択して登録することにより、所望の設定項目に関する設定情報を読み出して新たな撮影条件を生成することが可能となる。
【００６３】
次に、撮影モードが露出撮影モード群ＧＰ１内のいずれかの撮影モード５１〜５４に設定された場合の撮影条件の生成手法について説明する。
【００６４】
この場合は、図１２に示されるように、新たな撮影条件ＴＢ５は、ＲＡＭ１１０Ａに予め記録されている保持撮影条件ＴＢ３に基づいて設定される。
【００６５】
例えば、図１２では、新たな撮影条件ＴＢ５の各設定項目Ａ〜Ｆの設定情報は、モード変更される以前に設定されていた、露出撮影モード群ＧＰ１内のいずれかの撮影モード５１〜５４における撮影条件ＴＢ３の設定項目Ａ〜Ｆの設定情報を反映して決定される。具体的には、保持撮影条件ＴＢ３の設定情報Ａ２〜Ｆ２が新たな撮影条件ＴＢ５における設定項目Ａ〜Ｆそれぞれの設定情報として設定される。
【００６６】
このように、露出撮影モード群ＧＰ１内のいずれかの撮影モード５１〜５４に変更された場合は、新たな撮影条件ＴＢ５においては、当該モード変更前に設定されていた、露出撮影モード群ＧＰ１内のいずれかの撮影モード５１〜５４における撮影条件ＴＢ３が保持される。例えば、Ｐモード５１からＡモード５２へと撮影モードが遷移されると、撮影条件生成部１１６は、Ｐモード５１において設定されていた撮影条件を、Ａモード５２へと引き継ぐように制御する。また例えば、露出撮影モード群ＧＰ１内の撮影モード（例えば、Ｐモード５１）から露出撮影モード群ＧＰ１以外の他の撮影モード（例えば、ポートレートモード６１または登録呼出撮影モード５５）に一旦変更された後、露出撮影モード群ＧＰ１内の撮影モード（例えば、Ｍモード５４）に再変更された場合は、新たな撮影条件には、当該モード変更前の露出撮影モード群ＧＰ１内の撮影モード（例えば、Ｐモード５１）において設定されていた撮影条件が引き継がれる。
【００６７】
なお、露出撮影モード群ＧＰ１内のモード変更において、シャッタースピードおよび絞り値に関する撮影条件は、ユーザが設定可能な撮影モード間において引き継がれる。具体的には、シャッタースピードに関する設定情報は、シャッタースピードを手動設定可能なＳモード５３とＭモード５４との間で相互に引き継がれ、絞り値に関する設定情報は、絞り値を手動設定可能なＡモード５２とＭモード５４との間で相互に引き継がれる。これに対して、露出撮影モード群ＧＰ１内の他のモード間におけるモード変更では、シャッタースピードおよび絞り値に関する撮影条件は、引き継がれない。
【００６８】
次に、撮影モードがシーン撮影モード群ＧＰ２内のいずれかの撮影モード５６〜６０に変更された場合の撮影条件の生成手法について説明する。
【００６９】
この場合は、撮影シーンごとの撮影条件が、撮影条件生成部１１６によって、記憶部（ＲＡＭ１１０Ａ）から読み出され、新たな撮影条件として設定される。
【００７０】
例えば、図１２では、新たな撮影条件ＴＢ６は、ＲＡＭ１１０Ａに記憶されていた撮影条件の設定情報Ａ３〜Ｆ３が新たな撮影条件ＴＢ６における設定項目Ａ〜Ｆそれぞれの設定情報として設定される。なお、撮影シーンごとの撮影条件は、予めＲＯＭ１１０Ｂに記憶されており、撮像装置１の電源がオンされた際にＲＯＭ１１０Ｂから読み出されて、ＲＡＭ１１０Ａに記憶される。
【００７１】
このように、撮影モードがシーン撮影モード群ＧＰ２内のいずれかの撮影モード５６〜６０に設定された場合は、他の撮影モードにおいて設定されていた撮影条件の影響を受けず、変更された各撮影モード５６〜６０に固有の撮影条件が新たな撮影条件ＴＢ６として設定される。
【００７２】
また、撮影モードが自動撮影モード５０に変更された場合は、他の撮影モードにおいて設定されていた撮影条件の影響を受けず、撮像装置１によって自動的に取得される最適な撮影条件が新たな撮影条件として設定される。
【００７３】
以上のように、本実施形態に係る撮像装置１は、撮影条件に関する複数の設定項目の設定情報をそれぞれ設定する撮影条件設定制御部１１２と、ＲＡＭ１１０Ａと、ユーザの指示操作に応じて、複数の設定項目のうち登録対象とする登録対象項目を指定する登録項目設定制御部１１４と、登録対象項目において設定されている設定情報を登録撮影条件としてＲＡＭ１１０Ａに登録させる撮影条件登録制御部１１５と、ユーザによる呼出操作ＲＰ４に応じて、登録撮影条件を記憶手段から呼び出して、当該登録撮影条件を反映した新たな撮影条件を生成する撮影条件生成部１１６とを備えている。
【００７４】
これによれば、複数の設定項目のうち登録対象とする登録対象項目が指定され、登録対象項目について設定されている設定情報が登録撮影条件として記憶手段に登録されるので、登録対象としたくない設定項目についても登録されるという不都合を解消することが可能になる。
【００７５】
また、撮像装置１は、登録呼出撮影モード５５以外の他のモード（ここでは、露出撮影モード群ＧＰ１内の各撮影モード５１〜５４）において設定されていた撮影条件を保持撮影条件としてＲＡＭ１１０Ａに記録させる撮影条件記録制御部１１３をさらに備え、撮影条件生成部１１６は、新たな撮影条件における設定項目のうち、登録対象項目以外の非登録対象項目の設定情報を保持撮影条件に基づいて生成する。
【００７６】
これによれば、登録対象とした所望の設定項目に関する撮影条件を反映した新たな撮影条件を生成して、撮像装置１に設定することができる。
【００７７】
＜変形例＞
以上、この発明の実施の形態について説明したが、この発明は、上記に説明した内容に限定されるものではない。
【００７８】
例えば、上記実施形態の呼出操作ＲＰ４では、登録呼出画面ＧＮ４（図１１参照）の登録元表示ＴＨ２の中から撮影条件の登録元を選択して実行していたが、これに限定されない。図１３は、登録呼出画面ＧＮ５の一例を示す図である。
【００７９】
具体的には、モードダイアル５に登録呼出撮影モード５５を示す表示「ＭＲ」の代わりに、登録撮影条件の登録元を直接表示して、呼び出したい登録元の表示を所定位置ＴＰに合わせることによって、所望の登録撮影条件を簡単に呼び出せるようにしてもよい。
【００８０】
この場合、登録呼出画面ＧＮ５（図１３参照）には、登録元表示ＴＨ３として選択された登録元（図１３では登録元１）が表示されるとともに、当該登録元に登録されていた撮影条件が表示される。
【００８１】
また、上記実施形態では、メニューボタン１６を押下して表示されるメニュー画面ＧＮ２（図８参照）上で、「登録」項目ＴＫを選択し、登録設定画面ＧＮ３（図９参照）を表示させていたが、これに限定されない。
【００８２】
具体的には、撮像装置１に登録ボタン１８（図３参照）を設けて、登録ボタン１８の押下の検知に応じて、登録設定画面ＧＮ３を表示させるようにしてもよい。これによれば、撮影条件登録操作ＲＰ３の操作工程が減少するので、ユーザは、撮影条件登録操作ＲＰ３を簡易に行うことが可能になる。
【００８３】
また、上記実施形態では、設定された登録項目は、撮影条件の各登録先に共通して適用されていたが、これに限定されない。図１４は、変形例に係る登録項目選択画面ＧＮ６の一例を示す図である。
【００８４】
具体的には、図１４に示されるように、登録項目選択画面ＧＮ６において登録項目の選択欄ＳＲを登録先ごとに設けて、登録先ごとに登録項目を設定可能となるようにしてもよい。図１４では、選択欄ＳＲｂにおいて選択された設定項目は、「登録先１」に登録される撮影条件について登録項目として有効となり、選択欄ＳＲｃにおいて選択された設定項目は、「登録先２」に登録される撮影条件について登録項目として有効となり、選択欄ＳＲｄにおいて選択された設定項目は、「登録先３」に登録される撮影条件について登録項目として有効となる。例えば、ホワイトバランスは、「登録先１」に登録される撮影条件について登録項目となり、露出補正は、「登録先２」および「登録先３」に登録される撮影条件について登録項目となる。
【００８５】
また、選択欄ＳＲａにおいて選択された設定項目は、全ての登録先（「登録先１」、「登録先２」および「登録先３」）について有効となる。例えば、ドライブモードは、「登録先１」、「登録先２」および「登録先３」に登録される撮影条件について登録項目となる。なお、全ての登録先に影響を及ぼす選択欄ＳＲａに選択表示が付されると、選択表示が付された設定項目については他の選択欄ＳＲｂ，ＳＲｃ，ＳＲｄに付されていた選択表示は自動的に消去される。
【００８６】
このように、登録項目の選択欄ＳＲを登録先ごとに設けて、登録先ごとに個別の登録項目を設定可能とすることによれば、ユーザにとって自由度の高い撮影条件の登録が可能となる。
【００８７】
また、上記実施形態では、電源オン状態において保持撮影条件および登録撮影条件をＲＡＭ１１０Ａに保存する場合について例示したが、これに限定されない。具体的には、電源オン状態において保持撮影条件および登録撮影条件をＲＯＭ１１０Ｂに保存するようにしてもよい。
【００８８】
また、上記実施形態では、図１１に示されるような登録呼出画面ＧＮ４上において、方向選択キー１７を用いて登録元表示ＴＨ２の中から撮影条件の登録元を選択し、決定ボタン１７ａを押下することによって呼出操作ＲＰ４が実行される場合について例示したが、これに限定されない。
【００８９】
具体的には、呼出操作ＲＰ４は、登録呼出画面ＧＮ４上において登録元が選択されている状態で、レリーズボタン１１の半押し状態の検出に応じて実行されてもよい。この場合、新たな撮影条件ＴＢ４は、レリーズボタン１１の押下が検出されると、登録撮影条件ＴＢ２と保持撮影条件ＴＢ３とに基づいて即値決定される。
【図面の簡単な説明】
【００９０】
【図１】本発明の実施形態に係る撮像装置の外観構成を示す図である。
【図２】本発明の実施形態に係る撮像装置の外観構成を示す図である。
【図３】本発明の実施形態に係る撮像装置の外観構成を示す図である。
【図４】モードダイアルを示す図である。
【図５】撮像装置の機能構成を示すブロック図である。
【図６】撮影条件の項目を示す図である。
【図７】登録項目選択画面の一例を示す図である。
【図８】メニュー画面の一例を示す図である。
【図９】登録設定画面の一例を示す図である。
【図１０】登録呼出撮影モードに設定されたときの撮影条件の生成を示す概念図である。
【図１１】登録撮影条件の呼出操作を行う画面の一例を示す図である。
【図１２】露出撮影モード群およびシーン撮影モード群に設定されたときの撮影条件の生成を示す概念図である。
【図１３】登録撮影条件の呼出操作を行う画面の一例を示す図である。
【図１４】変形例に係る登録項目選択画面の一例を示す図である。
【符号の説明】
【００９１】
１  撮像装置
５  モードダイアル
ＴＰ  所定位置
１２  表示部（モニタ）  
１６  メニューボタン
５０  自動撮影モード
５５  登録呼出撮影モード
ＧＰ１  露出撮影モード群
ＧＰ２  シーン撮影モード群
１０５  操作部
１１０  全体制御部
１１０Ａ  ＲＡＭ
１１０Ｂ  ＲＯＭ
１１２  撮影条件設定制御部
１１３  撮影条件記録制御部
１１４  登録項目設定制御部
１１５  撮影条件登録制御部
１１６  撮影条件生成部
ＲＰ１  撮影条件設定操作
ＲＰ２  登録項目選択操作
ＲＰ３  撮影条件登録操作
ＲＰ４  呼出操作
【図１】
0004941758.tif 000002
【図２】
0004941758.tif 000003
【図３】
0004941758.tif 000004
【図４】
0004941758.tif 000005
【図５】
0004941758.tif 000006
【図６】
0004941758.tif 000007
【図７】
0004941758.tif 000008
【図８】
0004941758.tif 000009
【図９】
0004941758.tif 000010
【図１０】
0004941758.tif 000011
【図１１】
0004941758.tif 000012
【図１２】
0004941758.tif 000013
【図１３】
0004941758.tif 000014
【図１４】
0004941758.tif 000015